(57)【特許請求の範囲】
【請求項１】
ダンボール材と結束具を備え、ダンボール材は、長尺な板状をなし、表面材と裏面材と中芯を有し、中芯は、波型をなし、表面材と裏面材との間に設けてあり、表面材と中芯には切れ目が設けてあり、ダンボール材は、切れ目で折り曲げて側壁部と見込壁とからなる略コ字型をなし、被梱包物のコーナー部を含めて被梱包物の周面を囲んでおり、コーナー部は、側壁部のみが中芯を潰して表面材と裏面材を近づけて蛇腹状に折り曲げてあり、結束具は、ダンボール材と被梱包物を結束していることを特徴とする梱包材。
【発明の詳細な説明】
【技術分野】
【０００１】
本発明は、パネルやフェンス等の被梱包物を梱包するための梱包材に関するものである。
【背景技術】
【０００２】
パネルやフェンス等の框組みされる被梱包物を梱包する場合、被梱包物の各部の周面のそれぞれにダンボール材を取付け、被梱包物の有効面に傷が付かないようにするものであった。
【先行技術文献】
【特許文献】
【０００３】
【特許文献１】特開２０００−３３９７５号公報
【発明の概要】
【発明が解決しようとする課題】
【０００４】
上記のような梱包材は、あらかじめ所定の寸法に切断したダンボール材を被梱包物の框の一つ一つに取り付けるものであったため、部品点数が多くなり作業手間がかかるものであった。さらに、ダンボール材を被梱包物から外すときには、被梱包物に複数取り付けてあるため、被梱包物から取り外した後は各ダンボール材がバラバラになることから大変煩わしいものであった。本発明は、上記課題を鑑みてなされたものであり、梱包、または被梱包物からの取り外しが簡単であり、且つ被梱包物の保護が確実に行える梱包材を提供することにある。
【課題を解決するための手段】
【０００５】
本発明は、ダンボール材と結束具を備え、ダンボール材は、長尺な板状をなし、表面材と裏面材と中芯を有し、中芯は、波型をなし、表面材と裏面材との間に設けてあり、表面材と中芯には切れ目が設けてあり、ダンボール材は、切れ目で折り曲げて側壁部と見込壁とからなる略コ字型をなし、被梱包物のコーナー部を含めて被梱包物の周面を囲んでおり、コーナー部は、側壁部のみが中芯を潰して表面材と裏面材を近づけて蛇腹状に折り曲げてあり、結束具は、ダンボール材と被梱包物を結束していることを特徴とする。
【発明の効果】
【０００６】
本発明によれば、被梱包物の周面を一枚のダンボール材で囲んでいるとともに、ダンボール材の長手方向外周に２本の切れ目が設けてあることから、その切れ目で略コ字状に曲げることにより、ダンボール材の両側壁が被梱包物の有効面に隙間なく当接して囲むことができるので、被梱包物を確実に保護できる。また、一枚のダンボールで被梱包物の周面を囲むものであることから、部品点数が少なく、被梱包物を梱包するときも一度の作業で囲むことができて手間がかからず、さらに、被梱包物からダンボール材を取り外すときもダンボール材がバラバラにならず、片付けの煩わしさがないことから作業効率が向上する。
【図面の簡単な説明】
【０００７】
【図１】本実施による梱包材の（ａ）は、梱包材の全体を示す斜視図であり、（ｂ）は、ダンボール材の縦断面図であり、（ｃ）は、折り曲げた状態のダンボール材の縦断面図である。
【図２】（ａ）は、図１中（ａ）中Ａを拡大して示す斜視図であり、（ｂ）は、折り曲げた状態のダンボール材のコーナー部の背面図である。
【図３】（ａ）〜（ｅ）は、本実施による梱包材による被梱包物の梱包の手順を示す説明図である。
【発明を実施するための形態】
【０００８】
以下に、図面に基づいて本実施による梱包材について説明する。本実施による梱包材は、図１（ａ）を参照すれば、被梱包物６として四周を框で囲む矩形をなすパネルを梱包するものであり、長尺板状をなすダンボール材１と結束具２とからなっている。また、図１（ｂ）のように、ダンボール材１は、外周側の長手方向に沿って２本の切れ目３ａ，３ｂが設けてあり、その２本の切れ目３ａ，３ｂでダンボール材１を折り曲げることにより、図１（ｃ）のように、両側の側壁部４と見込壁５とからなる断面略コ字型に形成するものである。そして、上記のダンボール材１を被梱包物６の周面に沿って全周に渡り囲んでいくものであるが、図２（ａ）（ｂ）のように、被梱包物６のコーナー部７では、そのコーナー部７に沿ってダンボール材１の側壁部４のみが蛇腹状に折り曲げてあり、見込壁５は、被梱包物６の周面に沿って略一致して、ほとんど隙間の無い状態で被梱包物６を囲むことになる。結束具２は、本実施形態では紐状のものを使用しており、ダンボール材１と被梱包物６に縦横に巻き付けて結束している。
【０００９】
また、本実施形態のダンボール材１は、厚みが５ｍｍ、側壁部４の寸法が１０〜７０ｍｍで見込壁５の寸法が１０ｍｍ以上となるように切れ目３ａ，３ｂが設けてある。これは、厚みが５ｍｍであれば、被梱包物６を外部の衝撃から最低限保護できるとともに、曲げや切断等の加工性がよく、また、側壁部４が１０ｍｍ以下であれば、ダンボール材１を折り曲げたときに側壁部４が被梱包物を保護するに足りず、７０ｍｍ以上であれば、側壁部４を蛇腹状に曲げられないためである。さらに、見込壁５が１０ｍｍ以上としてあるのは、被梱包物６であるパネルやフェンスの周面を囲むため、その被梱包物６の見込幅に対応するためである。
【００１０】
上記した梱包材の梱包手順を図３（ａ）〜（ｅ）と図１（ａ）に基づいて説明する。第一手順として図３（ａ）のように、ダンボール材１の外周の長手方向に２本の切れ目３ａ，３ｂを入れる。第二手順として図３（ｂ）のように、上記した第一手順で設けた２本の切れ目３ａ，３ｂでダンボール材１を折り曲げ、両側の側壁部４と見込壁５とからなる断面略コ字型のものを形成する。第三手順として図３（ｃ）のように、断面略コ字型に折り曲げたダンボール材１を、本実施のものでは被梱包物６の上框の長手方向中間部の周面に沿って順次囲んでいき、被梱包物６のコーナー部７に到達したときに、ダンボール材１の両側の側壁部４を蛇腹状に折り曲げ、以降のダンボール材１の見込壁５と両側の側壁部４を被梱包物６の右側縦框の周面に沿わせる。さらに、図３（ｄ）のように、ダンボール材１を右側縦框から下框、左側縦框の各周面に沿って順次囲んでいき、最後に上框の周面を囲んでいるダンボール材１の梱包開始側の端部と終端部とを突き合わせることにより、被梱包物６の周面の全周に渡ってダンボール材１で囲まれる。第三の手順として図３（ｅ）のように、ダンボール材１と被梱包物６の外周に、ダンボール材１の突き合わせ部を挟むように４本の結束具２を縦横に巻くことにより、被梱包物６からのダンボール材１の離脱を防ぐ。以上の第一〜第三手順を経ることにより、本実施による梱包材が形成される。尚、本実施では、ダンボール材１を被梱包物６に対し、上框の右側部分、右側縦框、下框、左側縦框、上框の左側部分の順で梱包したが、梱包を始める箇所や順番については、ダンボール材１により被梱包材６のコーナー部７をすべて囲むことができる位置であればよい。
【００１１】
本発明の梱包材の被梱包物６については、上記実施形態では略矩形のパネルを挙げたが、丸型や多角形のもの、あるいは、パネルの他フェンスや障子等であってもよく、このような被梱包物６であってもコーナー部７で側壁部４を蛇腹状に折り曲げることにより対応できる。また、ダンボール材１の側壁部４については、上記の１０〜７０ｍｍの範囲内であれば、被梱包物６の大きさや形状にあわせて適宜選択でき、また、見込壁５についても被梱包物６の見込寸法の最小値とされる１０ｍｍ以上あればよい。さらに、結束具２は、上記実施形態では紐状のものを使用しているが、ダンボール材１が被梱包物６から外れなくできるものであればよい。
【符号の説明】
【００１２】
１  ダンボール材
２  結束具
３ａ, ３ｂ  切れ目
４  側壁部
５  見込壁
６  被梱包物
７  コーナー部
【図１】
0005739791.tif 000002
【図２】
0005739791.tif 000003
【図３】
0005739791.tif 000004